(57)【特許請求の範囲】
【請求項１】
電池ユニットを収容するための電池ユニット収容部および取付対象物を有した収容構造体と、前記取付対象物に取り付けられた複数のコネクタと、前記複数のコネクタ間を接続するブスバー及び／又は給電線とを備え、
前記複数のコネクタは、前記取付対象物の前記電池ユニット収容部側に取り付けられ、
前記ブスバー及び／又は前記給電線は、前記電池ユニット収容部側で隣接した前記複数のコネクタ間を接続していることを特徴とする蓄電装置。
【請求項２】
前記複数のコネクタは、前記ブスバー及び／又は前記給電線により直列に接続されていることを特徴とする請求項１に記載の蓄電装置。
【請求項３】
前記複数のコネクタは、前記ブスバー及び／又は前記給電線により並列に接続されていることを特徴とする請求項１に記載の蓄電装置。
【請求項４】
前記複数のコネクタは、前記ブスバー及び／又は前記給電線により直列および並列を組み合わせて接続されていることを特徴とする請求項１に記載の蓄電装置。
【請求項５】
前記収容構造体は、区画された複数の前記電池ユニット収容部と、前記複数の電池ユニット収容部を区画するフレームとを有していることを特徴とする請求項１乃至請求項４のいずれか１項に記載の蓄電装置。
【請求項６】
前記収容構造体は、格子状に区画された複数の前記電池ユニット収容部を有し、
前記コネクタは、前記複数の電池ユニット収容部ごとに配置されていることを特徴とする請求項１乃至請求項５のいずれか１項に記載の蓄電装置。
【請求項７】
前記コネクタは、ハウジングと、前記ハウジングにより保持される少なくとも一対の電源用コンタクトとをそれぞれ有し、
前記電源用コンタクトは、前記電池ユニット収容部に収容される電池ユニットに接触する接触部と、前記ブスバー及び／又は前記給電線に接続される接続部とを一体に有し、
前記コネクタの前記一対の電源用コンタクトには、それぞれ異なる前記ブスバー及び／又は前記給電線が接続されていることを特徴とする請求項１乃至請求項６のいずれか１項に記載の蓄電装置。
【請求項８】
前記電源用コンタクトの前記接触部は、ピン形状またはソケット形状を有していることを特徴とする請求項７に記載の蓄電装置。
【請求項９】
前記接触部は、前記接続部に対して垂直に形成されていることを特徴とする請求項７または請求項８に記載の蓄電装置。
【請求項１０】
前記コネクタは、信号用コンタクトをそれぞれ有し、
前記信号用コンタクト間を接続する信号線を備えていることを特徴とする請求項１乃至請求項９のいずれか１項に記載の蓄電装置。
【請求項１１】
前記信号用コンタクトは、前記コネクタごとに複数配置され、
前記コネクタごとの複数の前記信号用コンタクトは、格子状に配置されていることを特徴とする請求項１０に記載の蓄電装置。
【請求項１２】
前記信号線は、前記複数のコネクタを直列に接続していることを特徴とする請求項１０または請求項１１に記載の蓄電装置。
【請求項１３】
前記コネクタは、ハウジングと、前記ハウジングにより保持される少なくとも一対の電源用コンタクトとをそれぞれ有し、
前記電源用コンタクトおよび前記ブスバー及び／又は前記給電線は、相互に重なり合って配置される孔をそれぞれ有し、
前記電源用コンタクトの前記孔と前記ブスバー及び／又は前記給電線の前記孔とに共通して挿通され前記電源用コンタクトと前記ブスバー及び／又は前記給電線とを接続する接続部材を備えていることを特徴とする請求項７乃至請求項１２のいずれか１項に記載の蓄電装置。
【請求項１４】
前記コネクタは、ハウジングと、前記ハウジングにより保持される少なくとも一対の電源用コンタクトとをそれぞれ有し、
前記電源用コンタクトおよび前記ハウジングは、相互に重なり合って配置される孔をそれぞれ有し、
前記電源用コンタクトの前記孔と前記ハウジングの前記孔とに共通して挿通され前記電源用コンタクトおよび前記ハウジングを前記取付対象物に取り付ける接続部材を備えていることを特徴とする請求項７乃至請求項１３のいずれか１項に記載の蓄電装置。
【請求項１５】
前記コネクタは、ハウジングと、前記ハウジングにより保持される少なくとも一対の電源用コンタクトとをそれぞれ有し、
前記コネクタ、前記電源用コンタクト、前記ブスバー及び／又は前記給電線の少なくとも１つは、前記電池ユニット収容部側から取り付けおよび取り外し可能に設けられていることを特徴とする請求項１乃至請求項１４のいずれか１項に記載の蓄電装置。
【発明の詳細な説明】
【技術分野】
【０００１】
本発明は、蓄電装置に関する。
【背景技術】
【０００２】
従来、図１１に示すように、入出力端子１７０ａを有する複数の電池ユニット１７０と、複数の電池ユニット１７０間を接続するブスバー１５４と、入出力端子１７０ａに装着されブスバー１５４を電池ユニット１７０に固定するナット１８０とを備える装置が知られている（例えば、特許文献１参照。）。
【先行技術文献】
【特許文献】
【０００３】
【特許文献１】特開２００３−２５７５１６号公報
【発明の概要】
【発明が解決しようとする課題】
【０００４】
ところが、特許文献１の装置では、電池ユニット１７０の修理や交換等、装置に対する電池ユニット１７０の取り外しおよび取り付けを行う必要が生じた際には、その都度、ブスバー１５４およびナット１８０の取り外しおよび取り付け作業を行わなければならず、電池ユニット１７０の取り外しおよび取り付けに係る、時間コスト、ネジ固定ミス等の作業負担、作業リスクが大きいという問題があった。
【０００５】
そこで、本発明は、従来の問題を解決するものであって、すなわち、本発明の目的は、作業負担、作業リスクを削減し、蓄電装置に対する電池ユニットの取り外しおよび取り付けを簡便かつ安全に達成する蓄電装置を提供することである。
【課題を解決するための手段】
【０００６】
本発明の蓄電装置は、電池ユニットを収容するための電池ユニット収容部および取付対象物を有した収容構造体と、前記取付対象物に取り付けられた複数のコネクタと、前記複数のコネクタ間を接続するブスバー及び／又は給電線とを備え、前記複数のコネクタは、前記取付対象物の前記電池ユニット収容部側に取り付けられ、前記ブスバー及び／又は前記給電線は、前記電池ユニット収容部側で隣接した前記複数のコネクタ間を接続していることにより、前述した課題を解決したものである。
【０００７】
前記複数のコネクタは、前記ブスバー及び／又は前記給電線により直列に接続されていてもよい。
【０００８】
前記複数のコネクタは、前記ブスバー及び／又は前記給電線により並列に接続されていてもよい。
【０００９】
前記複数のコネクタは、前記ブスバー及び／又は前記給電線により直列および並列を組み合わせて接続されていてもよい。
【００１０】
前記収容構造体は、区画された複数の前記電池ユニット収容部と、前記複数の電池ユニット収容部を区画するフレームとを有していてもよい。
【００１１】
前記収容構造体は、格子状に区画された複数の前記電池ユニット収容部を有し、前記コネクタは、前記複数の電池ユニット収容部ごとに配置されていてもよい。
【００１２】
前記コネクタは、ハウジングと、前記ハウジングにより保持される少なくとも一対の電源用コンタクトとをそれぞれ有し、前記電源用コンタクトは、前記電池ユニット収容部に収容される電池ユニットに接触する接触部と、前記ブスバー及び／又は前記給電線に接続される接続部とを一体に有し、前記コネクタの前記一対の電源用コンタクトには、それぞれ異なる前記ブスバー及び／又は前記給電線が接続されていてもよい。
【００１３】
前記電源用コンタクトの前記接触部は、ピン形状またはソケット形状を有していてもよい。
【００１４】
前記接触部は、前記接続部に対して垂直に形成されていてもよい。
【００１５】
前記コネクタは、信号用コンタクトをそれぞれ有し、前記信号用コンタクト間を接続する信号線を備えていてもよい。
【００１６】
前記信号用コンタクトは、前記コネクタごとに複数配置され、前記コネクタごとの複数の前記信号用コンタクトは、格子状に配置されていてもよい。
【００１７】
前記信号線は、前記複数のコネクタを直列に接続していてもよい。
【００１８】
前記コネクタは、ハウジングと、前記ハウジングにより保持される少なくとも一対の電源用コンタクトとをそれぞれ有し、前記電源用コンタクトおよび前記ブスバー及び／又は前記給電線は、相互に重なり合って配置される孔をそれぞれ有し、前記電源用コンタクトの前記孔と前記ブスバー及び／又は前記給電線の前記孔とに共通して挿通され前記電源用コンタクトと前記ブスバー及び／又は前記給電線とを接続する接続部材を備えていてもよい。
【００１９】
前記コネクタは、ハウジングと、前記ハウジングにより保持される少なくとも一対の電源用コンタクトとをそれぞれ有し、前記電源用コンタクトおよび前記ハウジングは、相互に重なり合って配置される孔をそれぞれ有し、前記電源用コンタクトの前記孔と前記ハウジングの前記孔とに共通して挿通され前記電源用コンタクトおよび前記ハウジングを前記取付対象物に取り付ける接続部材を備えていてもよい。
【００２０】
前記コネクタは、ハウジングと、前記ハウジングにより保持される少なくとも一対の電源用コンタクトとをそれぞれ有し、前記コネクタ、前記電源用コンタクト、前記ブスバー及び／又は前記給電線の少なくとも１つは、前記電池ユニット収容部側から取り付けおよび取り外し可能に設けられていてもよい。
【発明の効果】
【００２１】
本発明では、電池ユニットを収容する収容構造体に対して複数のコネクタと複数のコネクタ間を接続するブスバー及び／又は給電線とを予め設置することにより、収容構造体に対して電池ユニットを挿入した状態では複数の電池ユニットがコネクタおよびブスバー及び／又は給電線により相互に接続され、収容構造体に対する電池ユニットの挿抜作業のみで、蓄電装置に対する電池ユニットの取り外しおよび取り付けを達成することが可能であるため、作業負担、作業リスクを削減し、蓄電装置に対する電池ユニットの取り外しおよび取り付けを簡便かつ安全に達成できる。
【図面の簡単な説明】
【００２２】
【図１】本発明の一実施例である蓄電装置の使用態様図である。
【図２】図１の一部を拡大して示す斜視図である。
【図３】コネクタと電池側コネクタと電池側ブスバーとを示す斜視図である。
【図４】コネクタを示す斜視図である。
【図５】コネクタを分解して示す斜視図である。
【図６】コネクタと取付パネルとを断面視して電源用コンタクトの挿入脱着方法を示す説明図である。
【図７】コネクタ配置およびブスバーによるコネクタ間の接続態様を示す説明図である。
【図８】コネクタ配置およびブスバーによるコネクタ間の接続態様の比較例を示す説明図である。
【図９】給電線を示す斜視図である。
【図１０】各コネクタを並列に接続した実施形態を示す説明図である。
【図１１】従来技術を示す斜視図である。
【発明を実施するための形態】
【００２３】
以下、本発明の一実施例である蓄電装置を図面に基づいて説明する。
【００２４】
なお、以下の説明では、コネクタに対して電池側コネクタを挿入する方向を第１方向（挿入方向）Ｘ、ハウジングに対する電源用コンタクトの挿抜方向（および、ハウジングに対する一対の電源用コンタクトの並列配置方向）を第２方向Ｙ、第１方向Ｘおよび第２方向Ｙに直交する方向を第３方向Ｚとして規定する。なお、以下に示す実施例では、第１方向Ｘに対して第２方向Ｙが直交するものとして説明するが、第２方向Ｙが第１方向Ｘに直交しないものとして構成してもよい。また、以下に示す実施例では、収容ラックに対してコネクタを取り付けた状態で、第２方向Ｙが水平方向に一致し、第３方向Ｚが鉛直方向に一致しているが、実施態様はこれに限定されない。
【実施例】
【００２５】
蓄電装置１は、図１に示すように、複数のコネクタ１０と、複数のコネクタ１０間を接続するブスバー５４と、複数のコネクタ１０が取り付けられる取付パネル（取付対象物）５１および電池ユニット収容部５３を区画するフレーム５２を有した収容ラック（収容構造体）５０とを備え、電池ユニット収容部５３に対して挿入された電池ユニット７０をフレーム５２により支持し、複数の電池ユニット７０間をコネクタ１０およびブスバー５４により接続するものである。
なお、図１に示す実施例では、収容ラック５０に対して電池ユニット７０が水平方向に挿入されるように構成されているが、収容ラック５０に対する電池ユニット７０の挿入方向はこれに限定されず、例えば、鉛直方向の上方から下方に向けて収容ラック５０に対して電池ユニット７０が挿入されるように構成してもよく、この場合、コネクタ１０を設置する取付パネル５１を収容ラック５０の底面側に配置すればよい。
【００２６】
コネクタ１０は、電源供給および信号供給用コネクタであり、図１乃至図３に示すように、収容ラック５０の取付パネル５１に取り付けられ、電池ユニット７０を収容ラック５０に対して挿入した際に、電池ユニット７０に取り付けられた電池側コネクタ６０に嵌合するものである。
【００２７】
各コネクタ１０は、図４や図５に示すように、収容ラック５０の取付パネル５１に背面側を固定されるハウジング２０と、ハウジング２０により保持される一対の電源用コンタクト３０と、ハウジング２０に取り付けられ信号用コンタクト（図示しない）を保持する信号用ハウジング４０と、ハウジング２０に取り付けられるナット４１と、ハウジング２０に取り付けられるガスケット４２と、ハウジング２０に取り付けられるスペーサ部材４３と、図２に示すように、ハウジング２０を取付パネル５１に固定する第１のボルト４４と、ハウジング２０および電源用コンタクト３０およびブスバー５４を取付パネル５１に固定する第２のボルト４５とを備えている。
【００２８】
ハウジング２０は、図４乃至図６に示すように、収容ラック５０の取付パネル５１に固定される取付ベース部２１と、取付ベース部２１より正面側に配置される嵌合部２２と、第１方向Ｘに沿って嵌通形成され信号用ハウジング４０を保持する信号用ハウジング保持部２５とを有している。
【００２９】
取付ベース部２１は、図４や図５に示すように、第１方向Ｘに見た場合に、収容枠部２２ａ（嵌合部２２）の外側に位置する部分を有し、当該部分に、第１のボルト４４を嵌通させる第１のボルト孔２１ａと、第２のボルト４５を嵌通させる第２のボルト孔２１ｂと、ハウジング２０に対する電源用コンタクト３０の着脱時に電源用コンタクト３０の第２部分３２をガイドするガイド部２１ｃとを有している。
【００３０】
嵌合部２２は、図４に示すように、収容枠部２２ａおよび底部２２ｂと、収容枠部２２ａおよび底部２２ｂにより規定されハウジング２０の正面側に開口し電池側コネクタ６０を正面側から挿入させて収容する収容空間２２ｃと、底部２２ｂに形成されスペーサ部材４３を保持するスペーサ保持部２２ｄと、収容枠部２２ａの内側壁に形成され電池側コネクタ６０をガイドするガイド部２２ｅと、第１方向Ｘに対向する取付ベース部２１の一部分と協働して電源用コンタクト３０の第２部分３２の第１方向Ｘにおける移動を規制する移動規制部２２ｆとを有している。
【００３１】
ハウジング２０は、図６に示すように、第１方向Ｘに沿って嵌合部２２の底部２２ｂに貫通形成された貫通孔２３と、取付ベース部２１と嵌合部２２との間に形成され、貫通孔２３の背面側の端部からハウジング２０の側面側に向けて形成され貫通孔２３に連通するとともにハウジング２０の側面側で外部に開口する配置空間２４とを更に有している。
【００３２】
貫通孔２３および配置空間２４は、第１部分３１を先頭にして電源用コンタクト３０をハウジング２０の側面から配置空間２４を通してハウジング２０内に挿入することで、電源用コンタクト３０をハウジング２０内の所定位置に配置させることが可能な大きさ、位置、形状を有している。
【００３３】
電源用コンタクト３０は、コネクタ１０と電池側コネクタ６０との嵌合時に、電池側コネクタ６０の電池側コンタクト（図示しない）に電気的に接続されるものである。電源用コンタクト３０は、図４に示すように、ハウジング２０に対して、第２方向Ｙに並列して２つずつ配置されている。収容ラック５０に対して複数取り付けられたコネクタ１０の各電源用コンタクト３０は、図１や図７に示すように、ブスバー５４により相互に接続されており、結果として、各コネクタ１０は、ブスバー５４により直列に接続されている。
各電源用コンタクト３０は、信号用コンタクト（図示しない）から絶縁された状態で配置されている。
【００３４】
電源用コンタクト３０は、導電性金属（タフピッチ銅、純度９９％程度の銅）から形成され、それぞれ同一形状を有している。電源用コンタクト３０は、純銅の導電率を１００％とすると５０％以上の導電率を有する。電源用コンタクト３０は、金属板を所定形状に打抜き加工した後に所定箇所に曲げ加工を施すことにより形成され、平面上に展開した場合に重複する部分の無い形状を有している。
【００３５】
電源用コンタクト３０は、図４や図５に示すように、平板状に形成された第２部分３２と、第２部分３２の長手方向の中央において第２部分３２に対して垂直（ほぼ垂直も含む）に立設した平板状の第１部分３１とを一体に有している。
【００３６】
電源用コンタクト３０の第１部分３１は、図４や図６に示すように、第１方向Ｘに沿って延在し、電源用コンタクト３０をハウジング２０に対して組み付けた状態で、一部が貫通孔２３内に配置されるとともに、一部が収容空間２２ｃ内に配置されている。収容空間２２ｃ内に位置する第１部分３１は、電池側コネクタ６０の電池側コンタクト（図示しない）に接触する接触部として機能する。本実施例では、電源用コンタクト３０がピンコンタクトとして構成され、第１部分（接触部）３１がピン形状で形成されているが、第１部分（接触部）３１をソケット形状で形成してもよい。
【００３７】
電源用コンタクト３０の第２部分３２は、図４や図６に示すように、電源用コンタクト３０をハウジング２０に対して組み付けた状態で、一部が配置空間２４内に配置されている。第２部分３２は、第１方向Ｘに見た場合に、収容枠部２２ａ（嵌合部２２）より外側に第３方向Ｚの両側に向けて突出する部分を有し、当該部分に、第２のボルト４５を嵌挿させるボルト孔３２ａを有している。ボルト孔３２ａは、図４に示すように、第３方向Ｚにおける第２部分３２の両端にそれぞれ形成され、電源用コンタクト３０をハウジング２０に対して組み付けた状態で、取付ベース部２１に形成された第２のボルト孔２１ｂに第１方向Ｘに重なる位置に形成されている。この電源用コンタクト３０の第２部分３２が、ブスバー５４との接続部として機能する。
【００３８】
信号用ハウジング４０は、ハウジング２０に形成された信号用ハウジング保持部２５に対して、ハウジング２０の背面側から挿入され、信号用ハウジング４０に形成された取付バネ部４０ａにより、ハウジング２０に対して係止されている。信号用ハウジング４０は、図４に示すように、一部がハウジング２０の収容空間２２ｃ内に位置している。なお、図２に示す符号５５は、各コネクタ１０の信号用コンタクト（図示しない）間を直列に接続し、複数のコネクタ１０を直列に接続する信号線（電線）である。
信号用ハウジング４０は、各コネクタ１０ごとに２つずつ配置されている。信号用コンタクト（図示しない）は、コネクタ１０ごと（信号用ハウジング４０ごと）に複数配置されている。コネクタ１０ごと（信号用ハウジング４０ごと）の複数の信号用コンタクト（図示しない）は、相互に絶縁された状態で、格子状に配置されている。
【００３９】
スペーサ部材４３は、外周面に溝を有するスプリングピンとして構成され、図４や図５に示すように、ハウジング２０のスペーサ保持部２２ｄに対してハウジング２０の正面側から着脱可能に取り付けられ、貫通孔２３の縁部に対して電源用コンタクト３０の第１部分３１を第２方向Ｙに向けて押し当てており、これにより、貫通孔２３と第１部分３１との間のガタつきが防止される。
【００４０】
第１のボルト４４は、図２に示すように、ハウジング２０に形成された第１のボルト孔２１ａと、取付パネル５１に形成されたボルト孔（図示しない）とに対して、ハウジング２０の正面側から嵌通され、ハウジング２０を取付パネル５１に固定する。
【００４１】
第２のボルト（接続部材）４５は、図２に示すように、ハウジング２０に形成された第２のボルト孔２１ｂと、電源用コンタクト３０の第２部分３２に形成されたボルト孔３２ａと、ブスバー５４に形成されたボルト孔（図示しない）と、取付パネル５１に形成されたボルト孔（図示しない）とに対して、ハウジング２０の正面側から嵌挿され、ハウジング２０および電源用コンタクト３０およびブスバー５４を取付パネル５１に固定し、ブスバー５４と電源用コンタクト３０とを接続する。
なお、取付パネル５１に対するハウジング２０、電源用コンタクト３０、ブスバー５４の具体的な固定態様は上記に限定されず、例えば、取付パネル５１に圧入されるピン（接続部材）により、ハウジング２０および電源用コンタクト３０およびブスバー５４を取付パネル５１に対して固定してもよい。また、ナットを用いて第２のボルト（接続部材）４５を固定してもよく、また、ナットやボルト孔が不要なタッピンネジ（接続部材）を用いてもよい。さらに、必要に応じてスプリングワッシャを介在させてもよい。
【００４２】
収容ラック５０は、図１や図２に示すように、複数のコネクタ１０が取り付けられる取付パネル５１と、電池ユニット７０を収容する複数の電池ユニット収容部５３を区画するフレーム５２とを有している。電池ユニット７０は、収容ラック５０に対する挿入時に、収容ラック５０のフレーム５２によりガイドされ、収容ラック５０に対する収容時には、収容ラック５０のフレーム５２により支持される。
【００４３】
電池側コネクタ６０は、電池ユニット７０のケーシング７１に取り付けられ、電池ユニット７０を収容ラック５０に挿入した際に、収容ラック５０に取り付けられたコネクタ１０に嵌合し、電池ユニット７０に内蔵されバッテリ（２次電池）７２に接続された電池側ブスバー７３と、電源用コンタクト３０との間を電気的に接続するものである。電池側コネクタ６０は、図３に示すように、少なくとも第２方向Ｙに移動可能な状態でケーシング７１に取り付けられる第１の電池側ハウジング６１と、第１の電池側ハウジング６１に対して相対的に第２方向Ｙに移動可能に取り付けられた第２の電池側ハウジング６２と、第１の電池側ハウジング６１および第２の電池側ハウジング６２により構成されたコンタクト収容部（図示しない）に収容される電源供給用の電池側コンタクト（図示しない）とを備えている。
【００４４】
つぎに、電源用コンタクト３０の交換方法について、以下に説明する。
【００４５】
ここで、電源供給用として用いられるコネクタ１０では、大電流を流すことによる発熱等に起因して電源用コンタクト３０に損傷が生じ、電源用コンタクト３０の途中交換を必要とする場合があり、コネクタ１０では、以下の手順により、電源用コンタクト３０の交換を行う。
【００４６】
まず、第１のボルト４４を取り外すことなくハウジング２０と取付パネル５１とを固定したままの状態で、ハウジング２０および電源用コンタクト３０およびブスバー５４を取付パネル５１に固定する第２のボルト４５を、ハウジング２０の正面側から取り外す（第１の手順）。
【００４７】
次に、ハウジング２０からスペーサ部材４３を、ハウジング２０の正面側から取り外す（第２の手順）。なお、第１の手順と第２の手順の順番は、上記の逆でもよい。
【００４８】
ここで、第１の手順および第２の手順の後の状態では、電源用コンタクト３０は、第１部分３１を、貫通孔２３の縁部により第２方向Ｙおよび第３方向Ｚに移動規制され、第２部分３２を、取付ベース部２１および移動規制部２２ｆにより第１方向Ｘに移動規制され、結果としてハウジング２０により遊嵌状に保持され、ハウジング２０から脱落することはない。
【００４９】
次に、図６に示すように、ハウジング２０に対して電源用コンタクト３０を第２方向Ｙの外側に向けてスライドさせることにより、貫通孔２３から電源用コンタクト３０の第１部分３１を抜き出すと同時に配置空間２４から電源用コンタクト３０の第２部分３２を抜き出し、ハウジング２０の側面で外部に開口する配置空間２４から電源用コンタクト３０を取り外す（第３の手順）。
【００５０】
次に、新たな電源用コンタクト３０を、第１部分３１を先頭にして配置空間２４からハウジング２０内に挿入することで、電源用コンタクト３０をハウジング２０内の所定位置に配置する（第４の手順）。
【００５１】
ここで、第４の手順の後の状態では、電源用コンタクト３０は、第１部分３１を、貫通孔２３の縁部により第２方向Ｙおよび第３方向Ｚに移動規制され、第２部分３２を、取付ベース部２１および移動規制部２２ｆにより第１方向Ｘに移動規制され、結果としてハウジング２０により遊嵌状に保持され、ハウジング２０から脱落することはない。
【００５２】
次に、第２のボルト４５を用いて、ハウジング２０および電源用コンタクト３０およびブスバー５４を取付パネル５１に固定する（第５の手順）。
【００５３】
最後に、スペーサ部材４３をハウジング２０に形成されたスペーサ保持部２２ｄに取り付ける（第６の手順）。なお、第５の手順と第６の手順の順番は、上記の逆でもよい。
【００５４】
つぎに、収容ラック５０に対するコネクタ１０の配置態様、および、ブスバー５４によるコネクタ１０間の接続態様について、本実施例の実施態様を示す図７、および、比較例の実施態様を示す図８に基づいて、以下に説明する。
【００５５】
まず、本実施例では、図７に示すように、第１方向Ｘに見た場合に、電池ユニット収容部５３が、３行×４列（第２方向Ｙ×第３方向Ｚ）の格子状に区画され、また、これに伴い、各コネクタ１０が、取付パネル５１に対して３行×４列（第２方向Ｙ×第３方向Ｚ）の格子状に取り付けられている。なお、具体的な行数および列数は、上記に限定されない。
【００５６】
また、電池ユニット７０と電池ユニット収容部５３との組み合わせが限定されないことを目的に、すなわち、どの電池ユニット７０をどの電池ユニット収容部５３に収容してもよいように、全ての電池ユニット収容部５３、および、全てのコネクタ１０、および、全ての電池ユニット７０は、同一に構成されている。
【００５７】
また、前述したように、各コネクタ１０が、ブスバー５４により直列に接続されている。
【００５８】
したがって、ブスバー５４を用いて各コネクタ１０を直列に接続する場合、図７（または図８）に示すように、上方に位置するコネクタ１０の右側（または左側）の電源用コンタクト３０と、下方に位置するコネクタ１０の左側（または右側）の電源用コンタクト３０とを、ブスバー５４により斜めに接続することにより、第３方向Ｚに並列した複数のコネクタ１０を接続し、また、第２方向Ｙに沿って配置されるブスバー５４により、第２方向Ｙに隣接するコネクタ１０を接続することになる。
【００５９】
ここで、第３方向Ｚにおける各電池ユニット収容部５３の寸法Ｍ、および、第２方向Ｙにおける各電池ユニット収容部５３の寸法Ｌは、電池ユニット７０の第２方向Ｙの寸法および第３方向Ｚの寸法に応じて決定される。そのため、比較例の図８に示すように、ボルト孔３２ａを各電源用コンタクト３０に１箇所ずつ設けた場合、第３方向Ｚにコネクタ１０を接続するブスバー５４（５４Ａ）の寸法と、第２方向Ｙにコネクタ１０を接続するブスバー５４（５４Ｂ）の寸法関係を調整するのが難しく、２種類の寸法のブスバーを必要とすることになる。
【００６０】
そこで、本実施例では、図７に示すように、各電源用コンタクト３０にボルト孔３２ａを２箇所ずつ設け、当該２箇所のボルト孔３２ａを第３方向Ｚに並列させることにより、第３方向Ｚにコネクタ１０を接続するブスバー５４（５４Ａ）の必要寸法を調節し、第３方向Ｚにコネクタ１０を接続するブスバー５４（５４Ａ）の寸法と、第２方向Ｙにコネクタ１０を接続するブスバー５４（５４Ｂ）の寸法を同一にしている。
【００６１】
なお、上記では、各コネクタ１０を接続する部材としてブスバー５４を用いた実施形態を説明したが、一部または全部のブスバー５４の代わりに、図９に示すような給電線５４’を用いてもよく、この給電線５４’の両端には、第２のボルト４５を挿通させる孔５４ｂ’を有した端子５４ａ’が接続されている。
【００６２】
また、上記では、各コネクタ１０が、ブスバー５４（及び／又は給電線５４’）により直列に接続されているものとして説明したが、図１０に示すように、ブスバー５４（及び／又は給電線５４’）により、各コネクタ１０を並列に接続してもよい。
さらに、ブスバー５４（及び／又は給電線５４’）により、各コネクタ１０を直列および並列を組み合わせて接続してもよい。
【００６３】
このようにして得られた本発明では、電池ユニット７０を収容する収容ラック５０に対して複数のコネクタ１０と複数のコネクタ１０間を接続するブスバー５４及び／又は給電線５４’とを予め設置することにより、収容ラック５０に対して電池ユニット７０を挿入した状態では複数の電池ユニット７０がコネクタ１０およびブスバー５４及び／又は給電線５４’により相互に接続され、収容ラック５０に対する電池ユニット７０の挿抜作業のみで、蓄電装置１に対する電池ユニット７０の取り外しおよび取り付けを達成することが可能であるため、作業負担、作業リスクを削減し、蓄電装置１に対する電池ユニット７０の取り外しおよび取り付けを簡便かつ安全に達成できる。
【００６４】
また、電池ユニット収容部５３側からコネクタ１０に嵌挿される第１のボルト４４および第２のボルト４５を用いて、電池ユニット収容部５３側からコネクタ１０が取付パネル５１に対して取り付けられていることにより、作業スペースを確保しやすい電池ユニット収容部５３側からコネクタ１０の取り付けおよび取り外しを簡便に達成できる。
【００６５】
また、電池ユニット収容部５３側からブスバー５４及び／又は給電線５４’に嵌挿される第２のボルト４５を用いて、電池ユニット収容部５３側からブスバー５４及び／又は給電線５４’がコネクタ１０および取付パネル５１に対して取り付けられていることにより、作業スペースを確保しやすい電池ユニット収容部５３側からブスバー５４及び／又は給電線５４’の取り付けおよび取り外しを簡便に達成できる。
【００６６】
また、ハウジング２０の側面側から電源用コンタクト３０を挿抜することが可能であるようにコネクタ１０を構成することにより、電池側コネクタ６０との嵌合部２２が配置されたハウジング２０の正面側から電源用コンタクト３０の挿抜作業を行うことが可能であるため、作業スペースを確保しやすく、コネクタ１０を取付パネル５１に取り付けた状態で電源用コンタクト３０の交換作業を簡便に達成でき、また、取付パネル５１の背面側に作業スペースを確保する必要がなく、装置の省スペース化を実現できる。
【符号の説明】
【００６７】
１      ・・・  蓄電装置
１０    ・・・  コネクタ
２０    ・・・  ハウジング
２１    ・・・  取付ベース部
２１ａ  ・・・  第１のボルト孔
２１ｂ  ・・・  第２のボルト孔
２１ｃ  ・・・  ガイド部
２２    ・・・  嵌合部
２２ａ  ・・・  収容枠部
２２ｂ  ・・・  底部
２２ｃ  ・・・  収容空間
２２ｄ  ・・・  スペーサ保持部
２２ｅ  ・・・  ガイド部
２２ｆ  ・・・  移動規制部
２３    ・・・  貫通孔
２４    ・・・  配置空間
２５    ・・・  信号用ハウジング保持部
３０    ・・・  電源用コンタクト
３１    ・・・  第１部分（接触部）
３２    ・・・  第２部分（接続部）
３２ａ  ・・・  ボルト孔
４０    ・・・  信号用ハウジング
４０ａ  ・・・  取付バネ部
４１    ・・・  ナット
４２    ・・・  ガスケット
４３    ・・・  スペーサ部材
４４    ・・・  第１のボルト
４５    ・・・  第２のボルト（接続部材）
５０    ・・・  収容ラック（収容構造体）
５１    ・・・  取付パネル（取付対象物）
５２    ・・・  フレーム
５３    ・・・  電池ユニット収容部
５４    ・・・  ブスバー
５４’  ・・・  給電線
５４ａ’   ・・・  端子
５４ｂ’   ・・・  孔
５５    ・・・  信号線
６０    ・・・  電池側コネクタ
６１    ・・・  第１の電池側ハウジング
６２    ・・・  第２の電池側ハウジング
７０    ・・・  電池ユニット
７１    ・・・  ケーシング
７２    ・・・  バッテリ
７３    ・・・  電池側ブスバー
Ｘ  ・・・  第１方向
Ｙ  ・・・  第２方向
Ｚ  ・・・  第３方向
【要約】
【課題】作業負担、作業リスクを削減し、蓄電装置に対する電池ユニットの取り外しおよび取り付けを簡便かつ安全に達成する蓄電装置を提供すること。
【解決手段】電池ユニット７０を収容するための電池ユニット収容部５３および取付対象物５１を有した収容構造体５０と、取付対象物５１に取り付けられた複数のコネクタ１０と、複数のコネクタ１０間を接続するブスバー５４及び／又は給電線５４’とを備え、複数のコネクタ１０は、取付対象物５１の電池ユニット収容部５３側に取り付けられ、ブスバー５４及び／又は前記給電線５４’は、電池ユニット収容部５３側で隣接した複数のコネクタ１０間を接続している蓄電装置１。
【選択図】図１【図１】
0005145452.tif 000002
【図２】
0005145452.tif 000003
【図３】
0005145452.tif 000004
【図４】
0005145452.tif 000005
【図５】
0005145452.tif 000006
【図６】
0005145452.tif 000007
【図７】
0005145452.tif 000008
【図８】
0005145452.tif 000009
【図９】
0005145452.tif 000010
【図１０】
0005145452.tif 000011
【図１１】
0005145452.tif 000012